(57)【要約】【課題】植物の運送用と展示用の両方に使用可能である梱包箱２１を提供する。【解決手段】梱包箱２１を、蓋部２０と底部４０と植物固定部４５により構成し、蓋部２０に高さの調節可能な折り込み部３０を設ければ、底部４０が該折り込み部３０に突き当たる。よって、底部４０に固定された植物固定部４５も固定され植物の運送可能となる。一方、蓋部２０を上下逆にして底部４０を蓋開口部２２から入れることで、底部４０はやはり折り込み部３０に突き当たり固定され、植物の展示も可能となる。【選択図】　　　　図１
2004059079.tif 000002
【特許請求の範囲】
【請求項１】
蓋部と底部と植物固定部を備えた植物の運送と展示を行なうための梱包箱であって、
前記蓋部は、
内部に前記植物の収納用空間を形成するよう周囲を取り囲み、一方に開口端を備えた蓋側面部と、
前記蓋側面部の片側開口部を閉じる蓋上面部と、
前記蓋側面部の一箇所につき２以上、複数箇所にわたって蓋側面部の開口端から同じ高さの位置に所定の幅で形成される切込み部と、
前記切込み部に挟まれた蓋側面部を内側に折り込んだ折込部と
を備え、
前記底部は、
前記蓋部の内側嵌合する形状を有し、前記折込部に対応する高さをもつ底側面部と、
前記底側面部の片側を閉じる底面部と
を備え、
前記植物固定部は、個別に取り扱われる植物を固定する機構を備える
梱包箱。
【請求項２】
前記蓋部は直方体形状である請求項１記載の梱包箱。
【請求項３】
前記切り込み部は、前記蓋側面部の四隅にある請求項２記載の梱包箱。
【請求項４】
前記切り込み部は、前記蓋側面部の一箇所につき３以上備えられており、前記折込部は前記切り込み部のうち隣接する２つを選択して形成される請求項１ないし３のいずれか記載の梱包箱。
【請求項５】
前記蓋側面部に持ち運び用の穴を設けた請求項１ないし４のいずれか記載の梱包箱。
【請求項６】
前記底側面部に前記底部取り出し用の穴を設けた請求項１ないし５のいずれか記載の梱包箱。
【請求項７】
前記底部取り出し用の穴は、前記底側面部に一部分を残して切り込みがいれられ、内側に該一部分を軸に折ることで穴が開けられている請求項６記載の梱包箱。
【請求項８】
前記底部取り出し用の穴は、前記一部分を底側面部と底面部の交線上としている請求項７記載の梱包箱。
【請求項９】
前記植物固定部は、
前記底面部に収まる大きさであって、複数の開口を有する固定部と、
前記底面部から該固定部を所定距離浮かして固定する底固定部と
を備えた請求項１ないし８のいずれか記載の梱包箱。
【請求項１０】
前記植物固定部は、前記底面部からの高さの調節が可能である請求項１ないし９のいずれか記載の梱包箱。
【請求項１１】
前記固定部は、一部分を残して切り込みがいれられ、前記底面部側に該一部分を軸に折ることで開口とされている請求項９記載の梱包箱。
【請求項１２】
前記植物固定部と前記底面部の間に、前記植物固定部を支える支え部を備えた請求項１ないし１１のいずれか記載の梱包箱。
【請求項１３】
素材がダンボールである請求項１ないし１２のいずれか記載の梱包箱。
【請求項１４】
所定高さを有する浅底の底部に設けられ、個別に取り扱われる植物を複数配置可能な植物固定部に、販売用の植物を固定し、
該植物が前記植物固定部に固定された状態で、前記底部に、該底部の高さの少なくとも２倍以上の高さを有する蓋部を、該底部に上方から被せ、前記底部の高さに合わせて、該蓋部の内側に設けられたストッパに、該底部上端が突き当たる状態で、該底部と前記蓋部とを固定して梱包箱を形成し、
内部に植物を収納した該梱包箱を、店舗に輸送し、
該輸送された梱包箱を受け取った後、該梱包箱の梱包を解いて、前記蓋部を取り外し、これを開口側を上向きにして店舗内に設置し、
前記植物固定部に植物が固定された底部を、前記蓋部の開口側から、該底部の底面が前記ストッパに突き当たる位置まで差し込むことにより、前記植物固定部に固定された個別に取り扱われる植物を、前記店舗で販売可能に展示する
植物の輸送販売方法。
【発明の詳細な説明】
【０００１】
【発明の属する技術分野】
本発明は、蓋部と底部と植物固定部を備えた植物の運送や展示をするための梱包箱に関する。
【０００２】
【従来の技術】
従来から、花などの植物を運搬するための梱包箱は存在した。このような梱包箱においては、緩衝用の部材を梱包箱内に設け、梱包箱内の植物が運送中に痛むのを防いでいた。一方、運送された後梱包箱内の植物を取り出すには、梱包箱を解体し、緩衝用の部材を取り出して植物を取り出していた。
【０００３】
【発明が解決しようとする課題】
しかしながら、解体した梱包箱は、再び組み立てない限り、その後の用途が存在しない。よしんば解体を要しないで梱包箱内の植物を取り出すことができたとしても、そのような梱包箱は、運送用としてしか機能しない。
【０００４】
本発明は、上記した問題点を解決するためになされたものであり、植物の運送用と展示用の両方に使用可能である梱包箱を提供することを目的とする。
【０００５】
【課題を解決するための手段およびその作用・効果】
上記課題の少なくとも一部を解決する本発明の梱包箱は、
蓋部と底部と植物固定部を備えた植物の運送と展示を行なうための梱包箱であって、
前記蓋部は、
内部に前記植物の収納用空間を形成するよう周囲を取り囲み、一方に開口端を備えた蓋側面部と、
前記蓋側面部の片側開口部を閉じる蓋上面部と、
前記蓋側面部の一箇所につき２以上、複数箇所にわたって蓋側面部の開口端から同じ高さの位置に所定の幅で形成される切込み部と、
前記切込み部に挟まれた蓋側面部を内側に折り込んだ折込部と
を備え、
前記底部は、
前記蓋部の内側嵌合する形状を有し、前記折込部に対応する高さをもつ底側面部と、
前記底側面部の片側を閉じる底面部と
を備え、
前記植物固定部は、個別に取り扱われる植物を固定する機構を備える
ことを特徴とする。
【０００６】
かかる梱包箱によれば、植物固定部に植物を入れ、蓋部の蓋上面部を上面にした状態で、下面になっている蓋部の開口部から底部を入れて植物を運送した後、今度は蓋上面部を下面にし、蓋部の上面になった開口部に底部を嵌め込むことで、運送してきた植物をそのまま展示できる。この結果、植物の運送と展示を１つの梱包箱で切り換えて行なうことが可能である。このため、植物の扱いに不慣れな店員でも、植物をほとんど扱うことなく、運送されてきた植物をそのまま展示して販売することができる。また、植物固定部で植物を固定しているので、植物の運送を確実に行なうことができる。
【０００７】
一方、蓋部には切り込み部を複数箇所設ければ、様々な高さの底部に対応することが可能である。底部の高さを調節する機能をつければ、異なる高さの植物を運送し、展示することもできる。更に、持ち運び用の穴や底部を取り出すための穴や蓋部を取り外すための穴を設ければ、配送や荷解きを簡単に行なうことができる。植物固定部に支え部を設ければ、更に安定して植物を運送することが可能となる。
【０００８】
【発明の実施の形態】
（１）構成
以下、本発明の実施例について、図を参照しつつ説明する。図１は、梱包箱２１の構造を示すために蓋部２０の一部を破断して示す説明図である。梱包箱２１は大きく分けて蓋部２０と底部４０と植物固定部４５により構成されている。図示するように、底部４０は蓋部２０の内側に収納される。
【０００９】
次に、蓋部２０と底部４０と植物固定部４５について、それぞれ詳細に説明していく。図２は、蓋部２０を長手方向側面からみたときの図である。蓋部２０は、直方体形状をしており、蓋上面部６０と、対向する２枚の蓋大側面部６５ａ，６５ｂと、対向する２枚の蓋小側面部７０ａ，７０ｂにより構成されている。また、蓋上面部に対向する面は開口しており、その部分を蓋開口部２２と呼ぶ。
【００１０】
図３は、蓋開口部２２の方向から蓋部をみたときの平面図である。また、図４は図２における４Ａ−４Ａ´矢視図である。以下、図２，図３，図４により、蓋部２０について詳細に説明する。蓋小側面部７０ａ，７０ｂには、それぞれ中央より少し上方で、蓋開口部２２から同じ高さ，蓋大側面部６５ａから同じ距離の位置に持ち運び用穴３５ａ，３５ｂが設けられている。持ち運び用穴３５ａ，３５ｂは、持ち運び用切り込み３６ａ，３６ｂを同一形状で入れ、持ち運び用折り曲げ箇所３７ａ，３７ｂにそって持ち運び用折り曲げ部７５ａ，７５ｂを内側に折り曲げることにより、形成されている。
【００１１】
また、蓋部２０の四隅には切り込み部２５，２６，２７，２８が設けられている。１つの切り込み部２５，２６，２７，２８ごとに等間隔で４つの切り込み２５ａ，２５ｂ，２５ｃ，２５ｄと、２６ａ，２６ｂ，２６ｃ，２６ｄと、２７ａ，２７ｂ，２７ｃ，２７ｄと、２８ａ，２８ｂ，２８ｃ，２８ｄが設けられている。この切り込み２５ａ，２５ｂと、２６ａ，２６ｂと、２７ａ，２７ｂと、２８ａ，２８ｂの隣り合った２つに挟まれる部分を折り込むことで、折り込み部３０ａ，３０ｂ，３０ｃ，３０ｄが形成される。四隅の切り込み部２５，２６，２７，２８と折り込み部３０ａ，３０ｂ，３０ｃ，３０ｄは同じ方法で形成されているので、以下では切り込み部２５と折り込み部３０ａについてのみ説明する。切り込み部２５の切り込み２５ａは、蓋開口部２２から高さＨ１の位置に、隅部から蓋小側面部７０ａに対して幅Ｗ１で、蓋大側面部６５ａに対して幅Ｗ１で入れられている。また、切り込み２５ｂは、切り込み２５ａから高さＨ２の位置に、隅部から蓋小側面部７０ａに対して幅Ｗ１で、蓋大側面部６５ａに対して幅Ｗ１で入れられている。同様に、切り込み２５ｃは切り込み２５ｂから高さＨ２で、切り込み２５ｄは切り込み２５ｃから高さＨ２で入れられている。そして、切り込み２５ａと切り込み２５ｂの間の蓋小側面部７０ａと蓋大側面部６５ａを蓋部２０の内側に折り込むことにより折り込み部３０ａが形成されている。
【００１２】
次に、蓋部２０と共に梱包箱２１を構成している底部４０と植物固定部４５について説明する。植物固定部４５は底部４０内に入れた状態で使用するが、図５は植物固定部４５を底部４０から取り出した状態であり、その状態を上方向からの視点で描いた説明図である。底部４０は、直方体形状をしており、底面部９０と、対向する２枚の底大側面部８５ａ，８５ｂと、対向する２枚の底小側面部８０ａ，８０ｂにより構成されている。底面部９０に対向する面は開口している。その開口部を底開口部９１と呼ぶ。
【００１３】
図６は、底部４０を底大側面部８５ａの方向からの視点で描いた説明図である。底大側面部８５ａ，８５ｂには、底面部に接する位置で、底小側面部８０ａから同じ距離の位置に取り出し用穴１２５ａ，１２５ｂがある。取り出し用穴１２５ａ，１２５ｂは、取り出し用切り込み１２６ａ，１２６ｂを同一形状で入れ、取り出し用折り曲げ箇所１２７ａ，１２７ｂにそって取り出し用折り曲げ部１２８ａ，１２８ｂを内側に折り曲げることにより、形成されている。
【００１４】
次に、図５により植物固定部４５について説明する。植物固定部４５は、植物固定機能部１４５と繋ぎ部９５により構成されている。そして、植物固定機能部１４５は、繋ぎ部９５により底部４０につながっている。つまり、植物固定機能部１４５は繋ぎ部９５により底部４０に固定されている。
【００１５】
植物固定機能部１４５は、固定面部１００，大側面部１１５，２つの小側面部１０５ａ，１０５ｂ，大フラップ部１２０，２つの小フラップ部１１０ａ，１１０ｂ，１２個の固定穴部５５で構成されている。固定穴部５５は、固定面部１００に穴用切り込み５１をいれ、穴用折り曲げ箇所５２にそって、固定部５０を折り曲げることで形成される。
【００１６】
植物固定部４５を底部４０内部に収納する方法は２通りある。まず、１通り目の方法について説明する。まず、折り曲げ箇所１０６ａ，１０６ｂにそって、小側面部１０５ａ，１０５ｂを折り曲げる。次に、折り曲げ箇所１１６と折り曲げ箇所１１７にそって、大側面部１１５と大フラップ部１２０を折り曲げる。そして、折り曲げ箇所９６と折り曲げ箇所９７にそって、繋ぎ部９５と固定面部１００を折り曲げる。図７は、この状態の植物固定部４５と底部４０の様子を底小側面部８０ａの方向からの視点で描いた説明図である。
【００１７】
更に、折り曲げ箇所１０７ａ，１０７ｂにそって、小フラップ部１１０ａ，１１０ｂを折り曲げ、大フラップ部１２０を小フラップ部１１０ａ，１１０ｂにかぶせ、植物固定部４５を底部４０におさめる。図８は、植物固定部４５を底部４０におさめたときの様子を底小側面部８０ａの方向からの視点で描いた説明図であり、図９は底開口部９１方向からの視点で描いた説明図である。ｈ１は、底部４０の底面部９０から植物固定部４５の固定面部１００までの高さである。一方、ｈ２は、底部４０の底面部９０から、植物固定部４５を底部４０内部に収納した状態での最も高い箇所までの高さである。
【００１８】
次に、植物固定部４５を底部４０内部に収納する方法の２通り目の方法について説明する。まず、折り曲げ箇所１０６ａ，１０６ｂにそって、小側面部１０５ａ，１０５ｂを折り曲げる。次に、折り曲げ箇所１１６にそって、大側面部１１５を折り曲げる。そして、折り曲げ箇所９７にそって、固定面部１００を折り曲げる。折り曲げ箇所９６は折り曲げない。その状態で、植物固定部４５を底部４０におさめる。図１０は、植物固定部４５を底部４０におさめたときの様子を底小側面部８０ａの方向からの視点で描いた説明図である。この状態では、ｈ１とｈ２は一致する。
【００１９】
ところで、図８の状態の植物固定部４５の固定面部１００と底部４０の底面部９０の間に支え部１４０をいれる場合もある。図１１はその支え部１４０を図示したものである。支え部は高さｈ１の直方体形状で、固定穴部に植物が入れられた場合に、植物にあたらないよう上面と下面は開口している。支え部１４０は、植物の重みでたわむ固定面部１００を支える。
【００２０】
（２）処理
以下では、（１）で示した梱包箱２１が実際にどのように使用されるのかを説明する。花の卸売り市場では、植物固定部４５を底部４０内部に収納した状態で、花の鉢１５０を植物固定部４５の固定穴部５５に差し込む。植物固定部４５を底部４０内部に収納する方法は先に示したとおり２通りあるので、花の鉢１５０の高さなどに適した方の収納方法を選ぶ。ここでは、図８の状態になる収納方法を選んだ。次に、折り込み部３０を作る。先に示したｈ２と蓋開口部２２から折り込み部３０下端までの高さが一致するような切り込み２つを選んで、折り込み部３０を作成する。ここでは、切り込み２５ａと切り込み２５ｂ，切り込み２６ａと切り込み２６ｂ，切り込み２７ａと切り込み２７ｂ，切り込み２８ａと切り込み２８ｂを選んだ。次に、蓋部２０を底部４０にかぶせて、ベルトで蓋部２０と底部４０を固定し、出荷する。図１２は、この状態の梱包箱２１を蓋小側面部７０ａの方向から描いた説明図である。ただし、ベルトは省略してある。この状態の梱包箱２１は、配送用のトラックなどに載せられ、コンビニエンスストアなどの各小売店に運ばれる。
【００２１】
小売店では、店員がベルトをとり、取り出し用穴に指を入れて、底部４０を蓋部２０から抜き出す。その後、蓋部２０を上下逆にして店舗内に設置し、この蓋部２０の蓋開口部２２に底部４０を入れる。図１３は、この状態の梱包箱２１を蓋小側面部７０ａの方向から描いた説明図である。花は蓋部２０の高さｈ３だけ持ち上げて展示され、そのまま小売店で販売される。
【００２２】
以上説明した実施例によれば、花などの植物の配送用の梱包箱２１をそのまま展示用として利用して植物を販売することができる。梱包箱２１を使った輸送販売方法によれば、知識のない店員でも、植物の販売を行なうことが可能である。輸送中には、底部４０を蓋部２０に固定するのに役立っているストッパが、展示の際には、底部４０の上端が蓋部２０の上端にちょうど一致する位置で底部４０を固定するのに役立っており、見てくれもよい。また、植物を蓋部２０の高さｈ３だけ持ち上げて、店舗内に展示できるので、植物が良く見え、小さい植物でも売りやすいという利点も得られる。
【００２３】
梱包箱２１では、鉢１５０は固定穴部５５に差し込まれ移動しないようにされている。よって、植物が傷まず、梱包箱２１は配送用としても十分機能している。支え部１４０があるので、少々重い植物を固定穴部５５に差し込んでも固定面部１００のたわみを防ぐことが可能である。また、固定部５０があることにより、固定穴部５５に差し込んだ植物の鉢１５０が転倒することを防ぐことができる。
【００２４】
更に、蓋部２０に持ち運び用穴３５を設けてあるので、運送に便利になっている。持ち運び用穴３５は、持ち運び用折り曲げ部７５ａ，７５ｂを元に戻して持ち運び用穴３５ａ，３５ｂをふさぐようにすれば展示時の美観も問題がない。一方、底部４０にある取り出し用穴により、底部４０を蓋部２０の中から楽に取り出すことができる。
【００２５】
また、各種フラップ部と繋ぎ部９５により、底部４０の底面部９０から、植物固定部４５を底部４０内部に収納した状態での最も高い箇所までの高さ（つまりｈ２）を調節することが可能なので、鉢１５０の高さの異なる植物を固定することが可能である。切り込み部２５における切り込みも４つあるので、折り込み部３０は３種類の高さで作ることができ、異なるｈ２に対応可能である。
【００２６】
以上、本発明の実施の形態について説明したが、本発明はこうした実施の形態に何ら限定されるものではなく、本発明の要旨を逸脱しない範囲内において、更に様々な形態で実施しうることは勿論である。例えば、蓋部２０や底部４０の形は直方体に限らず、円柱や多角柱であってもよい。また、植物固定部４５は、網目状の針金などで植物を固定するなど、様々な形態が考えられる。固定穴部５５の形も円形に限らず、鉢１５０の形に合わせて四角形などであってもよい。更に、取り出し用穴１２５や持ち運び用穴３５や切り込み部２５，２６，２７，２８の位置も、切り込みの数も蓋部２０や底部４０の形に応じて様々に変更可能である。また、ｈ２が折り込み部３０の下端までの高さより長くてもよい。
【図面の簡単な説明】
【図１】梱包箱２１の構造を示すために蓋部２０の一部を破断して示す説明図である。
【図２】蓋部２０を長手方向側面からみた説明図である。
【図３】蓋開口部２２の方向から蓋部をみたときの平面図である。
【図４】図２における４Ａ−４Ａ´矢視図である。
【図５】植物固定部４５を底部４０から取り出した状態であり、その状態を上方向からの視点で描いた説明図である。
【図６】底部４０を底大側面部８５ａの方向からの視点で描いた説明図である。
【図７】植物固定部４５と底部４０の様子を底小側面部８０ａの方向からの視点で描いた説明図である。
【図８】植物固定部４５を底部４０におさめたときの様子を底小側面部８０ａの方向からの視点で描いた説明図である。
【図９】植物固定部４５を底部４０におさめたときの様子を底開口部９１方向からの視点で描いた説明図である。
【図１０】植物固定部４５を底部４０におさめたときの様子を底小側面部８０ａの方向からの視点で描いた説明図である。
【図１１】支え部１４０を図示した説明図である。
【図１２】運送のときの梱包箱２１を蓋小側面部７０ａの方向から描いた説明図である。
【図１３】展示のときの梱包箱２１を蓋小側面部７０ａの方向から描いた説明図である。
【符号の説明】
２０…蓋部
２１…梱包箱
２２…蓋開口部
２５…切り込み部
２５ａ…切り込み部
２５ｂ…切り込み部
２５ｃ…切り込み部
２５ｄ…切り込み部
２６…切り込み部
２６ａ…切り込み部
２６ｂ…切り込み部
２６ｃ…切り込み部
２６ｄ…切り込み部
２７…切り込み部
２７ａ…切り込み部
２７ｂ…切り込み部
２７ｃ…切り込み部
２７ｄ…切り込み部
２８…切り込み部
２８ａ…切り込み部
２８ｂ…切り込み部
２８ｃ…切り込み部
２８ｄ…切り込み部
３０…折り込み部
３０ａ…折り込み部
３０ｂ…折り込み部
３０ｃ…折り込み部
３０ｄ…折り込み部
３５…持ち運び用穴
３５ａ…持ち運び用穴
３５ｂ…持ち運び用穴
３７ａ…持ち運び用折り曲げ箇所
３７ｂ…持ち運び用折り曲げ箇所
４０…底部
４５…植物固定部
５０…固定部
５２…箇所
５５…固定穴部
６０…蓋上面部
６５ａ…蓋大側面部
６５ｂ…蓋大側面部
７０ａ…蓋小側面部
７０ｂ…蓋小側面部
７５ａ…持ち運び用折り曲げ部
７５ｂ…持ち運び用折り曲げ部
８０ａ…底小側面部
８０ｂ…底小側面部
８５ａ…底大側面部
８５ｂ…底大側面部
９０…底面部
９１…底開口部
９５…繋ぎ部
９６…折り曲げ箇所
９７…折り曲げ箇所
１００…固定面部
１０５ａ…小側面部
１０５ｂ…小側面部
１０６ａ…折り曲げ箇所
１０６ｂ…折り曲げ箇所
１０７ａ…折り曲げ箇所
１０７ｂ…折り曲げ箇所
１１０ａ…小フラップ部
１１０ｂ…小フラップ部
１１５…大側面部
１１６…折り曲げ箇所
１１７…折り曲げ箇所
１２０…大フラップ部
１２５ａ…取り出し用穴
１２５ｂ…取り出し用穴
１２５…取り出し用穴
１２７ａ…取り出し用折り曲げ箇所
１２７ｂ…取り出し用折り曲げ箇所
１２８ａ…取り出し用折り曲げ部
１２８ｂ…取り出し用折り曲げ部
１４０…支え部
１４５…植物固定機能部
１５０…鉢
Ｗ１…幅
Ｈ１…高さ
Ｈ２…高さ
ｈ１…高さ
ｈ２…高さ
ｈ３…高さ
【図１】
2004059079.tif 000003
【図２】
2004059079.tif 000004
【図３】
2004059079.tif 000005
【図４】
2004059079.tif 000006
【図５】
2004059079.tif 000007
【図６】
2004059079.tif 000008
【図７】
2004059079.tif 000009
【図８】
2004059079.tif 000010
【図９】
2004059079.tif 000011
【図１０】
2004059079.tif 000012
【図１１】
2004059079.tif 000013
【図１２】
2004059079.tif 000014
【図１３】
2004059079.tif 000015